(57)【要約】【課題】配線経路や、接続先、用途等ケーブルに関する諸種の情報を記録した無線ＩＣタグを収納して、これを光ファイバーコード等各種ケーブル類の外周部に着脱自在に取付けることができるようにしたケーブル装着用無線ＩＣタグホルダーを提供する。【解決手段】ケーブルを挿着させるための凹溝６を有するホルダー本体部１と、このホルダー本体部１の一端にヒンジ部３を介して連設された無線ＩＣタグ１０を収納するスペース９を形成してなるタグホルダー蓋２と、前記ホルダー本体部１の他端にヒンジ部５を介して連設されたケーブル挟着蓋４とから構成される。タグホルダー蓋２及びケーブル挟着蓋４を互いに異なった方向に折り曲げてホルダー本体部１に形成された係合部に着脱自在に係合してホルダー本体部１をケーブル７に保持させる。【選択図】図７
0003121534.tif 000002
【実用新案登録請求の範囲】
【請求項１】
ケーブルを挿着させるための凹溝を有するホルダー本体部と、このホルダー本体部の一端にヒンジ部を介して連設された無線ＩＣタグを収納するスペースを形成してなるタグホルダー蓋と、前記ホルダー本体部の他端にヒンジ部を介して連設されたケーブル挟着蓋とから構成され、タグホルダー蓋およびケーブル挟着蓋は互いに異なった方向に折り曲げてホルダー本体部に形成された係合部に着脱自在に係合できるようになっていることを特徴とするケーブル装着用無線ＩＣタグホルダー。
【請求項２】
ホルダー本体部におけるケーブル挿着用の凹溝内に、ケーブル挟着蓋と協働して、挿着されたケーブルを適当な圧力で押圧する弾性バネ片が設けられている請求項１記載のケーブル装着用無線ＩＣタグホルダー。
【請求項３】
ホルダー本体部におけるケーブル挿着用の凹溝が設けられた側の反対側に、タグホルダー蓋と協働して無線ＩＣタグを抑える突片が形成されている請求項１または２記載のケーブル装着用無線ＩＣタグホルダー。
【考案の詳細な説明】
【技術分野】
【０００１】
本考案は配線経路ないし接続先や接続時期、用途等ケーブルに関する諸種の情報を記録した無線ＩＣタグを収納して、これを光ファイバーコード、光ファイバーケーブル、あるいはメタルケーブル等各種ケーブル類の外周部に着脱自在に取付けることができるようにしたケーブル装着用無線ＩＣタグホルダーに関する。
【背景技術】
【０００２】
従来、ケーブル類の識別のため、あるいはケーブルに関する各種情報を記録するため、ケーブル外周の保護被覆部に識別用のテープやラベルを貼付したり、保護被覆部に各種ケーブル情報を直接印刷表示し、目視により確認するようにしていた。
【０００３】
しかしながら、この目視確認による場合は、テープやラベルのケーブル外周部からの剥離、あるいは印刷表示部の磨耗等による経時的劣化ないし汚れによって情報の確認ができなくなると共に、ケーブル情報を書き換える必要が生じたときに、簡単にこれに応じることができないという問題点があった。
【０００４】
このような問題点に対処するため、次に示す特許文献１に、ケーブルにおける導体を絶縁する絶縁体表面あるいは絶縁体中に製造者、製造年月日、規格等のケーブル情報を記録したＩＣタグを直接埋め込んで、これを非接触で書込み・読出し器によって情報を呼び出し確認することが提案されている。
【特許文献１】特開２００３−２０３５２７号公報
【考案の開示】
【考案が解決しようとする課題】
【０００５】
上記したように、無線ＩＣタグをケーブルの製造工程時にケーブルの絶縁体表面あるいは絶縁体中に埋め込むことが提案されているが、これによった場合はケーブルの製造コストがアップすると共に、ユーザー側において任意に無線ＩＣタグをケーブルから外したり、取付けたりすることができないという不具合がある。特に、無線ＩＣタグがケーブルの絶縁体中に埋め込まれていると、配線替え等により当該ケーブル自体が不要となったときＩＣタグも廃棄することとなり、経済的にも甚だ不利となる。
【０００６】
そこで、本考案の目的は、前記した従来技術の不具合点を解消し、配線経路や、接続先、接続時期、用途等ケーブルに関する各種の情報を記録した無線ＩＣタグを合成樹脂製のホルダー内に収納して、これを光ファイバーコード、光ファイバーケーブル、あるいはメタルケーブル等各種ケーブル類の外周部に着脱自在に取付けることができるようになしたケーブル装着用無線ＩＣタグホルダーを提供することにある。
【課題を解決するための手段】
【０００７】
上記目的を達成するための本考案の構成を詳述すれば、請求項１に係る考案は、ケーブルを挿着させるための凹溝を有するホルダー本体部と、このホルダー本体部の一端にヒンジ部を介して連設された無線ＩＣタグを収納するスペースを形成してなるタグホルダー蓋と、前記ホルダー本体部の他端にヒンジ部を介して連設されたケーブル挟着蓋とから構成され、タグホルダー蓋およびケーブル挟着蓋は互いに異なった方向に折り曲げてホルダー本体部に形成された係合部に着脱自在に係合できるようになっていることを特徴とするケーブル装着用無線ＩＣタグホルダーである。
【０００８】
請求項２に係る考案は、ホルダー本体部におけるケーブル挿着用の凹溝内に、ケーブル挟着蓋と協働して、挿着されたケーブルを適当な圧力で押圧する弾性バネ片が設けられている請求項１記載のケーブル装着用無線ＩＣタグホルダーである。
【０００９】
さらに、請求項３に係る考案は、ホルダー本体部におけるケーブル挿着用の凹溝が設けられた側の反対側に、タグホルダー蓋と協働して無線ＩＣタグを抑える突片が形成されている請求項１または２記載のケーブル装着用無線ＩＣタグホルダーである。
【００１０】
本考案によれば、ケーブルの保護被覆部に直接無線ＩＣタグを埋め込むものではないから、ケーブルの製造プロセスに何ら影響を与えることはなく、通常のケーブルの外周部に無線ＩＣタグを保持させたホルダーを簡単な操作で取付けたり、あるいは外したりすることができるので、配線替え等に即応できると共に、ＰＤＡ（Ｐｅｒｓｏｎａｌ  Ｄｉｇｉｔａｌ  Ａｓｓｉｓｔａｎｔｓ）のような携帯情報端末によりデータの書き換え及び読み取り等が非接触で容易に行えるので現場における作業性が飛躍的に向上する。
【００１１】
また、ホルダー本体部におけるケーブル挿着用の凹溝内には、ケーブル挟着蓋と協働して、挿着されたケーブル類を適当な圧力で押圧する弾性バネ片を設けてあるので、凹溝内に挿通された光コードのようなケーブル類は適当な押圧力によってホルダー本体部とケーブル挟着蓋によって挟持され取付位置がずれるのを防止することができる。
【考案の効果】
【００１２】
上記したように、本考案によれば配線経路や、接続先、接続時期、用途等ケーブルに関する各種の情報を記録した無線ＩＣタグを合成樹脂製のタグホルダー内に収納して、これを光ファイバーコード、光ファイバーケーブル、あるいはメタルケーブル等各種ケーブル類の外周部に着脱自在に取付けることができ、識別テープやラベルを貼付する従来方法の問題点を悉く解決することができる。
【００１３】
また、無線ＩＣタグを保護被覆部に埋め込んだり、絶縁体と保護被覆の間に挿入したりするものではないから、ケーブルと独立して扱うことができ、不要となったケーブルから取り外して新たなケーブルに付け替えることもでき、配線替え等の作業性が大幅に改善される。
【考案を実施するための最良の形態】
【００１４】
以下、本考案に係るケーブル装着用無線ＩＣタグホルダーの具体的構成を図示の実施形態に基づき詳細に説明する。
【００１５】
図１は本考案タグホルダーの一実施形態を示す正面図、図２は本考案タグホルダーの一実施形態を示す背面図、図３は図１のＡ−Ａ断面図、図４は図１のＢ−Ｂ断面図、図５は無線ＩＣタグの収納スペースを示す本考案タグホルダーの斜視図、図６はホルダー本体部の凹溝とケーブル挟着蓋の詳細を示す本考案タグホルダーの斜視図、図７は無線ＩＣタグを収納したタグホルダー蓋を閉じるときの説明図、図８はホルダー本体部の凹溝内にケーブルを挿着するときの説明図、図９は凹溝内にケーブルを挿着してからケーブル挟着蓋を閉じるときの説明図、図１０はケーブル挟着蓋を閉じて無線ＩＣタグを保持した本考案タグホルダーをケーブルに挟持させた状態の斜視図である。
【００１６】
図中１は本考案無線ＩＣタグホルダーの中心をなすホルダー本体部、２は当該ホルダー本体部１の一端にヒンジ部３を介して連設したタグホルダー蓋、４は前記ホルダー本体部１の他端にヒンジ部５を介して連設したケーブル挟着蓋である。
【００１７】
ホルダー本体部１、タグホルダー蓋２及びケーブル挟着蓋４は良好なヒンジ特性を示現する例えばポリプロピレン樹脂のような熱可塑性合成樹脂によって一体に成形される。
【００１８】
先ず、ホルダー本体部１は図６に示すように、ケーブル７を挿着させるための適当な深さおよび幅の凹溝６を形成してあり、この凹溝６を形成する底部の隔壁には、前記ケーブル挟着蓋４と協働して、挿着されたケーブル７を押圧する弾性バネ片８，８が設けられている。なお、この弾性バネ片８，８は本考案タグホルダーの成形の際にホルダー本体部１と同時に成形されるものである。
【００１９】
ヒンジ部３を介してホルダー本体部１の一端に連設されるタグホルダー蓋２は、内側に無線ＩＣタグ１０を収納するための凹所９が形成され、ヒンジ部３の反対側の端部には、前記したホルダー本体部１に設けてある係合部１１に係合させる突起１２を突設してなる舌片１３を形成してある。
【００２０】
また、ヒンジ部３を介してタグホルダー蓋２をホルダー本体部１側へ閉じて凹所９内に収納した無線ＩＣタグ１０が収納スペース内で揺動するのを防ぐため、ホルダー本体部１におけるケーブル挿着用の凹溝６が設けられた側の反対側に、タグホルダー蓋２と協働して無線ＩＣタグ１０を抑え付けることのできる突片１４が突成されている。
【００２１】
ヒンジ部５を介してホルダー本体部１の他端に連設されるケーブル挟着蓋４は、ヒンジ部５の反対側の端部付近に、前記したホルダー本体部１に形成した係合爪１５に係合させる突起１６を形成してある。
【００２２】
本考案ケーブル装着用無線ＩＣタグホルダーは以上のような構成からなり、使用にあたっては、図７に示すようにタグホルダー蓋２を開放して、露になった凹所９内に無線ＩＣタグ１０を収納し、ヒンジ部３を介してホルダー本体部１の前記突片１４が設けられた側に折り曲げ、舌片１３に突設された突起１２をホルダー本体部１の係合部１１に嵌着して係合させる。
【００２３】
無線ＩＣタグ１０は凹所９内において、ホルダー本体部１に形成された突片１４によって抑えられ、タグホルダー蓋２の凹所９内に安定した状態で保持される。なお、ケーブル７に関するデジタル情報は、無線ＩＣタグ１０をホルダー内に封入してからＰＤＡ等を用いて入力することもできるが、ホルダー内に収納する前に、各種ケーブル情報を記録しておくようにしてもよいのは勿論である。
【００２４】
なお、無線ＩＣタグ１０は絶縁基板の表面にアンテナが導体パターン印刷によって形成され、さらに半導体集積回路チップが絶縁基板上に付設されており、ＰＤＡ等の携帯情報端末から一定周波数の電波を放射すると、無線ＩＣタグのアンテナに僅かな電力が供給され、これにより半導体集積回路チップ内部の不揮発性メモリに記憶させてある各種ケーブル情報に応じて強度もしくは周波数、位相を変えた反射波がアンテナから出力される。携帯情報端末側では当該反射波を検出し、非接触にて液晶表示等により情報を確認することができるものである。
【００２５】
ホルダー内に無線ＩＣタグ１０を収納した後、ホルダー本体部１の凹溝６内に、図８に示すようにしてケーブル７を挿着する。次いで、ホルダー本体部１にヒンジ部５を介して連設されているケーブル挟着蓋４を被せて、突起１６をホルダー本体部１に設けてある係合爪１５に係合させる。前記したように凹溝６内には挿着されたケーブル７を押圧する弾性バネ片８，８が設けられており、ケーブル挟着蓋４を閉じることによって無線ＩＣタグ１０を保持したホルダー本体部１は図１０に示すように、ケーブル７の外周部に確実に保持される。
【００２６】
なお、配線替え等のためケーブル７からホルダー本体部１を外すには、ケーブル挟着蓋４の側部に形成されている空所１７内にマイナスドライバーのような工具の先端部を挿入してケーブル挟着蓋４を外方に押圧すると、突起１６が係合爪１５を離れ、係合状態が解除されてケーブル７からホルダー本体部１を外すことができる。
【００２７】
一方、タグホルダー蓋２をホルダー本体部１から解除するには、図８に示すように、ケーブル挟着蓋４を開けたときに現れる空所１８内にマイナスドライバーのような工具の先端部を挿入してタグホルダー蓋２に形成してある舌片１３を外方へ押圧すると、突起１２が係合部１１を離れてフリーとなり、ヒンジ部３を中心にしてタグホルダー蓋２を開くことができ、凹所９内から無線ＩＣタグ１０を取り出すことができるものである。
【００２８】
以上のように、本考案無線ＩＣタグホルダーによれば、配線経路や、接続先、接続時期、用途等ケーブルに関する各種の情報を記録した無線ＩＣタグを合成樹脂製のタグホルダー内に収納して、これを光ファイバーコード、光ファイバーケーブル、あるいはメタルケーブル等各種ケーブル類の外周部に着脱自在に取付けることができ、識別テープやラベルを貼付する従来方法の問題点を解決することができると共に、無線ＩＣタグを保護被覆部に埋め込んだり、絶縁体と保護被覆の間に挿入したりするものではないから、ケーブルと独立して扱うことができ、不要となったケーブルから取り外して新たなケーブルに付け替えることもでき経済的に有利であり、且つ配線替え等の作業性が大幅に改善される。
【図面の簡単な説明】
【００２９】
【図１】本考案タグホルダーの一実施形態を示す正面図である。
【図２】本考案タグホルダーの一実施形態を示す背面図である。
【図３】図１のＡ−Ａ断面図である。
【図４】図１のＢ−Ｂ断面図である。
【図５】無線ＩＣタグの収納スペースを示す本考案タグホルダーの斜視図である。
【図６】ホルダー本体部の凹溝とケーブル挟着蓋の詳細を示す本考案タグホルダーの斜視図である。
【図７】無線ＩＣタグを収納したタグホルダー蓋を閉じるときの説明図である。
【図８】ホルダー本体部の凹溝内にケーブルを挿着するときの説明図である。
【図９】凹溝内にケーブルを挿着してからケーブル挟着蓋を閉じるときの説明図である。
【図１０】ケーブル挟着蓋を閉じて無線ＩＣタグを保持した本考案タグホルダーをケーブルに挟持させた状態の斜視図である。
【符号の説明】
【００３０】
１：ホルダー本体部
２：タグホルダー蓋
３：ヒンジ部
４：ケーブル挟着蓋
５：ヒンジ部
６：凹溝
７：ケーブル
８：弾性バネ片
９：凹所
１０：無線ＩＣタグ
１１：係合部
１２：突起
１３：舌片
１４：突片
１５：係合爪
１６：突起
１７：空所
１８：空所
【図１】
0003121534.tif 000003
【図２】
0003121534.tif 000004
【図３】
0003121534.tif 000005
【図４】
0003121534.tif 000006
【図５】
0003121534.tif 000007
【図６】
0003121534.tif 000008
【図７】
0003121534.tif 000009
【図８】
0003121534.tif 000010
【図９】
0003121534.tif 000011
【図１０】
0003121534.tif 000012